(57)【特許請求の範囲】
【請求項１】
被覆電線に巻きつけて該被覆電線を被装させる被覆電線外装シートであって、
帯状のシート基材と、一方の面のみに粘着面が形成され該シート基材の長手方向の縁部からはみ出るように該シート基材に貼着された粘着テープとを備え、
前記粘着テープの幅は、前記シート基材の幅より幅広であると共に、前記シート基材の一方の縁部から、または、両縁部から一定量はみ出るように貼着されていることを特徴とする被覆電線外装シート。
【請求項２】
請求項１記載の被覆電線外装シートを前記被覆電線に巻きつけて成ることを特徴とするワイヤーハーネス。
【発明の詳細な説明】
【技術分野】
【０００１】
本発明は、複数本の被覆電線を一つにまとめると同時に保護させる際に用いられる被覆電線外装シート及びワイヤーハーネスに関する。
【背景技術】
【０００２】
複数本の被覆電線を一つにまとめると同時に保護させるのに、例えば、シート状に構成された被覆電線外装シートを用いている。
【０００３】
この被覆電線外装シートの従来の構成は、例えば、シート基材の一縁部に両面粘着テープを貼着して成り、その使用方法は、両面粘着テープ面が外側となるように被覆電線外装シートを幅方向筒状に丸めて、束ねた複数本の被覆電線を包み込み、両面粘着テープ面で重合するシート内面を貼着させている（例えば特許文献１参照）。
【０００４】
また、従来における被覆電線外装シートの他の構成として、両面粘着テープの代わりにシート基材の一縁部に直接粘着材を塗布したものがある。なお、この被覆電線外装シートの用い方は、上記した前者の被覆電線外装シートと同じである。
【０００５】
【特許文献１】実開昭５８―８１９９０号公報（第１頁、図１）
【発明の開示】
【発明が解決しようとする課題】
【０００６】
上記した従来の被覆電線外装シートは以下の問題点を有する。
前者の両面粘着テープを用いた被覆電線外装シートは、この両面粘着テープの製造コストがかかり、その結果、被覆電線外装シートの製造コストに跳ね返っていた。
【０００７】
後者の粘着材を塗布したタイプの被覆電線外装シートは、粘着材の塗布工程が大掛かりなものになることから製造性が悪く、その結果、上記と同様に、被覆電線外装シートの製造コストに跳ね返っていた。
【０００８】
そこで本発明は、このような状況に鑑みてなされたものであり、上記問題点を解決できる被覆電線外装シート及びワイヤーハーネスを提供することを目的とする。
【課題を解決するための手段】
【０００９】
上記技術課題を達成するために、本発明にかかる被覆電線外装シート及びワイヤーハーネスは、下記の技術的手段を講じた。
すなわち、請求項１にかかる被覆電線外装シートは、被覆電線に巻きつけて該被覆電線を被装させる被覆電線外装シートであって、帯状のシート基材と、一方の面のみに粘着面が形成され該シート基材の長手方向の縁部からはみ出るように該シート基材に貼着された粘着テープとを備え、前記粘着テープの幅は、前記シート基材の幅より幅広であると共に、前記シート基材の一方の縁部から、または、両縁部から一定量はみ出るように貼着されていることを特徴とする。
また、請求項２にかかるワイヤーハーネスは、請求項１記載の被覆電線外装シートを前記被覆電線に巻きつけて成ることを特徴とする。
【発明の効果】
【００１０】
本発明によれば、被覆電線外装シートを構成するにあたり、低コストで製造できる、一方の面のみが粘着面である粘着テープを用いて、帯状のシート基材の長手方向の縁部からはみ出るように該粘着テープを貼着した構成にしたから、被覆電線外装シートの製造が容易な上、被覆電線外装シートの製造コストを下げることができる。
【発明を実施するための最良の形態】
【００１１】
次に、本発明にかかる被覆電線外装シートの実施の形態を説明する。なお、本実施の形態で例示している被覆電線は車両用に用いられるもので、本実施の形態にかかる被覆電線外装シートを巻きつけた状態でワイヤーハーネスとなる。
【００１２】
（参考例１）
参考例１にかかる被覆電線外装シートは、図１に示すように、合成樹脂からなる帯状のシート基材１と、一方の面のみに粘着面２ａが形成されシート基材１の幅より幅狭な粘着テープ２とを備え、この粘着テープ２が、シート基材１の一方の縁部から一定量はみ出るように貼着されて成る。
【００１３】
このように構成された被覆電線外装シートは、図２に示すように、粘着面２ａが内側となるように被覆電線外装シートを幅方向筒状に丸めて、束ねた複数本の被覆電線Ｗを包み込み、粘着面２ａで重合するシート基材１の外面を貼着して固定する。
【００１４】
参考例１では、粘着面２ａが内側となるように被覆電線外装シートを幅方向筒状に丸めているが、その逆に、粘着面２ａが外側となるように被覆電線外装シートを幅方向筒状に丸めてシート基材１の内面を貼着しても良い。
【００１５】
（参考例２）
参考例２にかかる被覆電線外装シートは、図３に示すように、参考例１で例示した幅狭な粘着テープ２を、シート基材１の一方の面のみに、かつ、シート基材１の両縁部から一定量はみ出るように貼着したものである。
【００１６】
この場合の使用方法は、図４に示すように、粘着面２ａの長手方向と被覆電線Ｗの長手方向を同一方向に揃え、一方の粘着面２ａを被覆電線Ｗに貼着し、被覆電線外装シートを幅方向筒状に丸めて、束ねた複数本の被覆電線Ｗを包み込み、粘着面２ａで重合するシート基材１の外面を貼着して固定する。
【００１７】
上記した例は、粘着面２ａの長手方向と被覆電線Ｗの長手方向を同一方向に揃えて被覆電線Ｗを包み込むようにしているが、図５に示すように、被覆電線Ｗの長手方向に対し粘着面２ａが直交するように被覆電線外装シートを筒状に丸めて、束ねた複数本の被覆電線Ｗを包み込み、粘着面２ａで重合するシート基材１の外面を貼着して固定しても良い。
【００１８】
（実施の形態）
実施の形態にかかる被覆電線外装シートは、図６に示すように、粘着テープ２をシート基材１の幅より幅広にして、シート基材１の両縁部から一定量はみ出るように貼着したものである。
【００１９】
この場合の使用方法は、粘着面２ａの長手方向と被覆電線Ｗの長手方向を同一方向に揃え、一方の粘着面２ａを被覆電線Ｗに貼着し、被覆電線外装シートを幅方向筒状に丸めて、束ねた複数本の被覆電線Ｗを包み込み、粘着面２ａで重合するシート基材１の外面を貼着して固定する。
【００２０】
この例においても、参考例２で説明したように、被覆電線Ｗの長手方向に対し粘着面２ａが直交するように被覆電線外装シートを筒状に丸めて、束ねた複数本の被覆電線Ｗを包み込み、粘着面２ａで重合するシート基材１の外面を貼着して固定しても良い。
【００２１】
また、粘着テープ２をシート基材１の幅より幅広にして、シート基材１の一縁部から一定量はみ出るように貼着しても良い。
【００２２】
この場合の使用方法は、図２と同様に、粘着面２ａの長手方向と被覆電線Ｗの長手方向を同一方向に揃え、粘着面２ａが内側となるように被覆電線外装シートを幅方向筒状に丸めて、束ねた複数本の被覆電線Ｗを包み込み、粘着面２ａで重合するシート基材１の外面を貼着する。
【００２３】
（参考例３）
参考例３にかかる被覆電線外装シートは、図７に示すように、シート基材１の一方の縁部が傾斜状の第１山部と第１谷部を同一ピッチでもって連続形成されると共に、対向する他方の縁部が、第１山部及び第１谷部と対応するように傾斜状の第２山部と第２谷部を同一ピッチでもって連続形成され（位置合わせ手段）、加えて、粘着テープ２を参考例１〜２，実施の形態で例示したように貼着してなるものである。なお、図７は、幅狭な粘着テープ２を、シート基材１の一方の面のみに、かつ、シート基材１の両縁部から一定量はみ出るように貼着したものを例示している。
【００２４】
このように構成された被覆電線外装シートは、例えば図７の構成の場合、粘着面２ａの長手方向と被覆電線Ｗの長手方向を同一方向に揃え、粘着面２ａが外側となるように、かつ、シート基材１両端の対応する夫々の山と谷、すなわち、第１山部と第２谷部、第２山部と第１谷部とをガイドにし、被覆電線外装シートを幅方向筒状に丸めて、束ねた複数本の被覆電線Ｗを包み込み、粘着面２ａで重合するシート基材１の内面を貼着して固定する。
【００２５】
この参考例３にかかる被覆電線外装シートによれば、被覆電線外装シートを幅方向筒状に丸める際、シート基材１の両端の山と谷を目安にして夫々の山と谷を合わせるように丸めることで、容易に位置合わせができるようになっている。
【００２６】
また、他の参考例として、図８に示すように、第１山部と第２山部、第１谷部と第２谷部とが対応した位置となるように菱状に形成させても良い。なお、粘着テープ２に山と谷を形成させても良いが、製造コストを考慮すれば、上記したようにシート基材１に山と谷を形成させた方が好適である。
【００２７】
なお、本参考例ではシート基材の両縁部にこれら山と谷を連続形成させたものを例示しているが、このものに限定されず、両縁部に夫々一つの山あるいは谷を設けたり、あるいは、所定間隔をおいて不連続に山と谷を形成させても良い。
【００２８】
また、図９に示すように、シート基材１の両縁部に、上記した山と谷を形成させた位置合わせ手段に代えて、シート基材１の両縁部に所定間隔をおいてマークを印字して位置合わせ手段としても良い。
【００２９】
このように本実施の形態にかかる被覆電線外装シートは、低コストで製造できる、一方の面のみが粘着面２ａである粘着テープ２を用いて、シート基材１の長手方向の縁部からはみ出るように粘着テープ２を貼着した構成にしている。したがって、被覆電線外装シートの製造が容易な上、被覆電線外装シートの製造コストを下げることができる。
【００３０】
以上、本実施の形態にかかる被覆電線外装シートを説明したが、上述した実施の形態は、本発明の好適な実施の形態の一例を示すものであり、本発明はそれに限定されるものではなく、その要旨を逸脱しない範囲内において、種々変形実施が可能である。
【００３１】
例えば、本実施の形態では、一方の面に、一面に粘着面２ａが形成された粘着テープ２を例示しているが、図１０に示すように、一方の面に、粘着面２ａが複数条（図１０では２条を例示）に形成された粘着テープを用いて構成しても良い。
【図面の簡単な説明】
【００３２】
【図１】参考例１にかかる被覆電線外装シートの斜視図である。
【図２】参考例１にかかる被覆電線外装シートの使用状態を示す縦断面図である。
【図３】参考例２にかかる被覆電線外装シートの斜視図である。
【図４】参考例２にかかる覆電線外装シートの使用状態を示す縦断面図である。
【図５】参考例２にかかる覆電線外装シートの他の使用状態を示す斜視図である。
【図６】実施の形態にかかる被覆電線外装シートの斜視図である。
【図７】参考例３にかかる被覆電線外装シートの斜視図である。
【図８】他の参考例の被覆電線外装シートの斜視図１である。
【図９】他の参考例の被覆電線外装シートの斜視図２である。
【図１０】粘着テープの他の態様を示した被覆電線外装シートの斜視図である。
【符号の説明】
【００３３】
１  シート基材
１ａ  第１山部
１ｂ  第１谷部
１ｃ  第２山部
１ｄ  第２谷部
１ｅ  マーク
２  粘着テープ
２ａ  粘着面
Ｗ  被覆電線
【図１】
0005112625.tif 000002
【図２】
0005112625.tif 000003
【図３】
0005112625.tif 000004
【図４】
0005112625.tif 000005
【図５】
0005112625.tif 000006
【図６】
0005112625.tif 000007
【図７】
0005112625.tif 000008
【図８】
0005112625.tif 000009
【図９】
0005112625.tif 000010
【図１０】
0005112625.tif 000011